(57)【要約】【課題】本発明の目的は、光源の位置調整を行うことなく、光源から出射される光が情報記録媒体に到達する光路を容易に変更でき、変更の自由度が大きく、変更後も光路のずれが起こらない、信頼性の高い光ピックアップ装置を提供することである。【解決手段】ハウジング６の底面６ａには、底面６ａから立ち上がるように、外方に臨んで、４つの案内部材１２ａ，１２ｂ，１２ｃ，１２ｄを含んで構成される案内部１２が形成される。立上げミラー保持台８を、案内部材１２ａと案内部材１２ｃとの間および案内部材１２ｂと案内部材１２ｄとの間に挿入して係合させると、立上げミラー保持台８は、案内部１２に案内され、光２ａの光軸とほぼ平行方向にスライド移動することが可能になる。これによって、立上げミラー保持台８に保持された立上げミラー７の反射面における光２ａの反射点を、光２ａの光軸とほぼ平行方向に位置調整することができ、光２ａが情報記録媒体１０の最良点に到達するように調整することができる。【選択図】      図１
2004199781.tif 000002
【特許請求の範囲】
【請求項１】
光を出射する光源と、光源から出射される光を反射する反射手段と、反射手段によって反射される光を情報記録媒体に集光する集光手段と、情報記録媒体によって反射される反射光を前記集光手段および前記反射手段を介して検出する光検出器とを備え、情報記録媒体に対して情報の再生、消去および記録のいずれかを行う光ピックアップ装置において、
前記光源および光検出器を収納するハウジングと、
前記反射手段を保持する保持部材とを含み、
前記保持部材は、
前記反射手段が前記光源から出射される光の反射する位置を調整できるように、前記ハウジングに設けられることを特徴とする光ピックアップ装置。
【請求項２】
前記ハウジングには、外方に臨んで、前記光源から出射される光の軸である光軸と略平行方向に延びる案内部が形成され、
前記保持部材は、
前記案内部と係合し、前記案内部に対して摺動することによって、前記ハウジングに対して光軸と略平行方向に移動可能に設けられることを特徴とする請求項１記載の光ピックアップ装置。
【請求項３】
前記ハウジングには、外方に臨んで、前記光源から出射される光の軸である光軸と略垂直方向に延びる第１嵌合突起が形成され、
前記保持部材には、前記第１嵌合突起と嵌合することができるように第１嵌合凹部が形成され、
前記保持部材は、
前記第１嵌合突起に前記第１嵌合凹部を嵌合させることによって、前記第１嵌合突起の光軸と略垂直方向に延びる軸線まわりに角変位可能に設けられることを特徴とする請求項１記載の光ピックアップ装置。
【請求項４】
前記ハウジングには、外方に臨んで、前記光源から出射される光の軸である光軸と略平行方向に延びる第２嵌合突起が形成され、
前記保持部材には、前記第２嵌合突起と嵌合することができるように第２嵌合凹部が形成され、
前記保持部材は、
前記第２嵌合突起に前記第２嵌合凹部を嵌合させることによって、前記第２嵌合突起の光軸と略平行方向に延びる軸線まわりに角変位可能に設けられることを特徴とする請求項１記載の光ピックアップ装置。
【請求項５】
前記ハウジングには、外方に臨んで突出し、突出する先端部が半球状の第３嵌合突起が形成され、
前記保持部材には、前記第３嵌合突起と嵌合することができるように第３嵌合凹部が形成され、
前記保持部材は、
前記第３嵌合突起に前記第３嵌合凹部を嵌合させることによって、前記第３嵌合突起の半球状に形成される先端部の球心まわりに角変位可能に設けられることを特徴とする請求項１記載の光ピックアップ装置。
【発明の詳細な説明】
【０００１】
【発明の属する技術分野】
本発明は、光ピックアップ装置に関する。
【０００２】
【従来の技術】
光ピックアップ装置は、コンパクトディスク（ＣＤ）、デジタルバーサタイルディスク（ＤＶＤ）などの情報記録媒体に対する情報の記録、再生または消去を行うものであり、ＣＤプレーヤ、ＤＶＤプレーヤなどの光学情報機器に汎用されている。
【０００３】
光ピックアップ装置は、一般に、光を出射する光源と、光源から出射される光を反射する反射手段と、反射手段によって反射される光を情報記録媒体に集光する集光手段と、情報記録媒体によって反射される反射光を集光手段および反射手段を介して検出する光検出器とを備えている。
【０００４】
光ピックアップ装置では、光源、集光手段である対物レンズなどの種類、情報記録媒体との距離などに応じて、光源から出射される光が情報記録媒体の最良点に到達するように、装置組立時に、構成部品の位置調整が行われている。
【０００５】
たとえば、図５に示す従来技術では、光源である半導体レーザの位置調整が行われている。
【０００６】
図５（ａ）は従来の光ピックアップ装置１０１の構成を示す側面配置図である。光ピックアップ装置１０１は、光源である半導体レーザ１０２と、半導体レーザ１０２から出射される光１０２ａを平行にするためのコリメータレンズ１０５と、半導体レーザ１０２、光検出器１０３、回折素子１０４およびコリメータレンズ１０５を収納するハウジング１０６と、コリメータレンズ１０５を透過した光を反射する立上げミラー１０７と、立上げミラー１０７で反射された光を情報記録媒体１０９に集光する対物レンズ１０８とを含んで構成される。情報記録媒体１０９で反射された光１０２ａは、対物レンズ１０８、立上げミラー１０７およびコリメータレンズ１０５を介し、続いて回折素子１０４によって光検出器１０３の方向に回折され、光検出器１０３に集光され、情報として検出される。
【０００７】
ハウジング１０６は、角筒の一端部を斜めに切断した形状を有する。ハウジング１０６の一端部１０６ａには、立上げミラー１０７が設けられ、他端部１０６ｂの端面ほぼ中央に、立上げミラー１０７と対向するように半導体レーザ１０２が設けられる。立上げミラー１０７は、半導体レーザ１０２から出射される光１０２ａの光軸に対して傾きを有するように設けられ、光軸に対する立上げミラー１０７の傾斜角は、半導体レーザ１０２から出射される光１０２ａを情報記録媒体１０９に向けて反射することができるように選択される。したがって、立上げミラー１０７の光反射面には、半導体レーザ１０２から出射される光１０２ａの反射位置である反射点１０７ａが形成される。ハウジング１０６の一側面１０６ｃの外側に接し、前記一側面１０６ｃから半導体レーザ１０２に連なるように給電用のフレキシブルプリント基板１１０が設けられる。
【０００８】
図５（ｂ）および図５（ｃ）は、光ピックアップ装置１０１のハウジング１０６部分の構成を示す側面配置図である。図５（ｂ）では、半導体レーザ１０２からの出射光１０２ａが情報記録媒体１０９の最良点に到達するように、半導体レーザ１０２が、ハウジング１０６のフレキシブルプリント基板１１０の設けられる一側面１０６ｃに近接するように位置調整され、接着剤によって固定されている。このときフレキシブルプリント配線基板１１０は撓んだ状態にある。また、図５（ｃ）では、半導体レーザ１０２が、ハウジング１０６の一側面１０６ｃから離反するように位置調整され、接着剤によって固定されている。このときフレキシブルプリント配線基板１１０は引っ張られている状態にある。
【０００９】
図５（ｄ）は、光ピックアップ装置１０１のハウジング１０６部分を、半導体レーザ１０２が設置されている他端部１０６ｂ側から見た配置図である。ハウジング１０６の端面のほぼ中央部に半導体レーザ１０２が設置され、その上にフレキシブルプリント配線基板１１０が接続されている。図５（ｄ）では、図５（ａ）〜（ｃ）に記載されている、半導体レーザ１０２のピン１０２ｂは、省略されている。図５（ｄ）によれば、半導体レーザ１０２の位置を矢符１１１ａまたは１１１ｂの方向に位置調整し、接着剤１１２によって固定すると、フレキシブルプリント配線基板１１０が引っ張られる状態になることは明らかである。
【００１０】
以上のように、従来の光ピックアップ装置１０１では、半導体レーザ１０２にフレキシブルプリント配線基板１１０が接続されているので、半導体レーザ１０２の位置調整を行うのは困難である。また、無理に位置調整し、接着剤によって固定しても、フレキシブルプリント配線基板１１０が元の形状に戻ろうとする復元力が発生するので、半導体レーザ１０２の位置が微妙にずれるのを避けることができない。
【００１１】
また、図６に示す従来技術では、反射手段である立上げミラーを保持する部材の位置を調整することが行われている（たとえば、特許文献１参照）。図６は、従来の光ピックアップ装置２０１の一部分である反射手段および反射手段を保持する保持部材を示す断面図である。
【００１２】
図６の光ピックアップ装置２０１では、半導体レーザ２０２から出射される光２０２ａを反射するための反射手段である立上げミラー２０３は、その底面２０３ｂが、保持部材である傾き調整部材２０４のベースに当接され、その背面が傾き調整部材２０４の傾斜面に接着される。傾き調整部材２０４は、その摘み部２０４ａを図示しない治具で保持されて、もう一つの保持部材であるキャリッジ２０５の固定部上に小間隔２０６を開けて配置される。この小間隔２０６に接着剤を注入し、硬化させることによって、傾き調整部材２０４がキャリッジ２０５に固定されている。この従来技術では、傾き調整部材２０４とキャリッジ２０５との間の小間隔２０６に接着剤を注入し、接着剤が硬化する前に立上げミラー２０３の傾きの調整を行い、接着剤が硬化することによって立上げミラー２０３を固定している。
【００１３】
しかしながら、この方法は、傾き調整部材２０４とキャリッジ２０５との間に硬化しつつある接着剤を介在させているので、位置調整の自由度は極めて小さく、大きな仕様変更には対応できない。
【００１４】
【特許文献１】
特開平４−３４９２２１号公報
【００１５】
【発明が解決しようとする課題】
本発明の目的は、光源の位置調整を行うことなく、光源から出射される光が情報記録媒体に到達する光路を容易に変更でき、変更の自由度が大きく、変更後も光路のずれが起こらない、信頼性の高い光ピックアップ装置を提供することである。
【００１６】
【課題を解決するための手段】
本発明は、光を出射する光源と、光源から出射される光を反射する反射手段と、反射手段によって反射される光を情報記録媒体に集光する集光手段と、情報記録媒体によって反射される反射光を前記集光手段および前記反射手段を介して検出する光検出器とを備え、情報記録媒体に対して情報の再生、消去および記録のいずれかを行う光ピックアップ装置において、
前記光源および光検出器を収納するハウジングと、
前記反射手段を保持する保持部材とを含み、
前記保持部材は、
前記反射手段が前記光源から出射される光を反射する反射位置を調整できるように、前記ハウジングに設けられることを特徴とする光ピックアップ装置である。
【００１７】
本発明に従えば、光ピックアップ装置において、光源を収納するハウジングに、反射手段を保持する保持部材を移動可能に設けることによって、光源から出射される光の、反射手段における反射点の位置、ひいては情報記録媒体への到達点を容易に調整することができる。すなわち、本発明の光ピックアップ装置は、光源の位置調整を行うことなく、光源から出射される光が情報記録媒体の最良点に到達するように、その光路を容易に調整できるものであり、調整の自由度が大きく、調整後も、フレキシブルプリント基板などに余分な応力が加わっていないので、光路のずれが起こらず、高い信頼性を有している。さらに前述のように光源の位置調整が不要になるので、光源を板バネなどで固定化する設計を行うことができ、一層信頼性の高い光ピックアップ装置が得られる。
【００１８】
また本発明は、前記ハウジングには、外方に臨んで、前記光源から出射される光の軸である光軸と略平行方向に延びる案内部が形成され、
前記保持部材は、
前記案内部と係合し、前記案内部に対して摺動することによって、前記ハウジングに対して光軸と略平行方向に移動可能に設けられることを特徴とする。
【００１９】
本発明に従えば、ハウジングの外方に臨んで、光源からの出射光の光軸と略平行方向に延びる案内部を形成し、保持部材を案内部と係合し、案内部に対して摺動するように設けることによって、保持部材および保持部材に保持される反射手段をハウジングの外方に移動可能に設けた光ピックアップ装置を得ることができる。
【００２０】
この光ピックアップ装置においては、保持部材は光源からの出射光の光軸と略平行方向に移動可能に設けられ、反射手段は保持部材に保持され、保持部材とともに移動するので、光源からの出射光の反射手段における反射点を光軸と略平行方向に変更し、ひいては出射光が情報記録媒体に到達する光路を変更することができる。
【００２１】
また本発明は、前記ハウジングには、外方に臨んで、前記光源から出射される光の軸である光軸と略垂直方向に延びる第１嵌合突起が形成され、
前記保持部材には、前記第１嵌合突起と嵌合することができるように第１嵌合凹部が形成され、
前記保持部材は、
前記第１嵌合突起に前記第１嵌合凹部を嵌合させることによって、前記第１嵌合突起の光軸と略垂直方向に延びる軸線方向に角変位可能に設けられることを特徴とする。
【００２２】
本発明に従えば、ハウジングの外方に臨んで、光源からの出射光の光軸と略垂直方向に延びる突起を形成し、保持部材に前記突起と嵌合することができる凹部を形成し、この突起と凹部とを嵌合することによって、保持部材および保持部材に保持される反射手段が、光軸と略垂直方向に延びる、第１嵌合突起の軸線まわりに角変位できるように設けられる光ピックアップ装置を得ることができる。
【００２３】
また本発明は、前記ハウジングには、外方に臨んで、前記光源から出射される光の軸である光軸と略平行方向に延びる第２嵌合突起が形成され、
前記保持部材には、前記第２嵌合突起と嵌合することができるように第２嵌合凹部が形成され、
前記保持部材は、
前記第２嵌合突起に前記第２嵌合凹部を嵌合させることによって、前記第２嵌合突起の光軸に略平行方向に延びる軸線まわりに角変位可能に設けられることを特徴とする。
【００２４】
本発明に従えば、ハウジングの外方に臨んで、光源からの出射光の光軸と略平行方向に延びる突起を形成し、保持部材に前記突起と嵌合することができる凹部を形成し、この突起と凹部とを嵌合することによって、保持部材および保持部材に保持される反射手段が、光軸に略平行方向に延びる、第２嵌合突起の軸線まわりに角変位できるように設けられる光ピックアップ装置を得ることができる。
【００２５】
また本発明は、前記ハウジングには、外方に臨んで突出し、突出する先端部が半球状の第３嵌合突起が形成され、
前記保持部材には、前記第３嵌合突起と嵌合することができるように第３嵌合凹部が形成され、
前記保持部材は、
前記第３嵌合突起に前記第３嵌合凹部を嵌合させることによって、前記第３嵌合突起の半球状に形成される先端部の球心まわりに角変位可能に設けられることを特徴とする。
【００２６】
本発明に従えば、ハウジングの外方に臨んで、突出する先端部が半球状である突起を形成し、保持部材に前記突起と嵌合することができる凹部を形成し、この突起と凹部とを嵌合することによって、保持部材および保持部材に保持される反射手段が、第３嵌合突起の半球状に形成される先端部の球心まわりに角変位できるように設けられる光ピックアップ装置を得ることができる。
【００２７】
【発明の実施の形態】
図１は、本発明の実施の第１形態である光ピックアップ装置１の構成を示す配置図である。光ピックアップ装置１は、ＣＤ、ＤＶＤなどの光ディスクである情報記録媒体１０の情報記録面に記録される情報を読取ったり、記録可能なＣＤ、ＤＶＤなどの光ディスクである情報記録媒体１０の情報記録面に情報を記録することができる。
【００２８】
図１（ａ）は光ピックアップ装置１の構成を示す側面配置図である。光ピックアップ装置１は、光源である半導体レーザ２と、半導体レーザ２から出射される光２ａを平行にするためのコリメータレンズ５と、ハウジング６と、コリメータレンズ５を透過した光を反射するための反射手段である立上げミラー７と、立上げミラー７を保持するための保持部材である立上げミラー保持台８と、立上げミラー７で反射された光を情報記録媒体１０に集光するための集光手段である対物レンズ９と、情報記録媒体１０で反射された光を対物レンズ９、立上げミラー７、コリメータレンズ５および回折素子４を介して検出するための光検出器３とを含んで構成されている。
【００２９】
ハウジング６は、半導体レーザ２、光検出器３、回折素子４およびコリメータレンズ５を収納している。
【００３０】
ハウジング６の底面６ａには、外方に臨んで底面６ａから立ち上がるように案内部１２が形成される。案内部１２は、４つの案内部材１２ａ，１２ｂ，１２ｃ，１２ｄを含んで構成される。４つの案内部材１２ａ，１２ｂ，１２ｃ，１２ｄは、同一の平板形状を有し、半導体レーザ２から出射される光２ａの光軸とほぼ平行方向に延びるように、かつ案内部材１２ａと案内部材１２ｃとがハウジング６の底面６ａの長手方向中央付近において、また案内部材１２ｂと案内部材１２ｄとが前記底面６ａの一端部６ｄ付近において、予め定められる間隔Ｌ１をあけてそれぞれ対向するように形成される。
【００３１】
立上げミラー保持台８は、平板形状を有する部材であり、長手方向の予め定める位置に長手方向に直交する幅方向に延びて屈曲線が形成されるように折曲げられて、基底部８ａと基低部８ａに対して傾斜角を有する傾斜部８ｂとが形成される。傾斜部８ｂのハウジング６を臨む傾斜面には、立上げミラー７が接着剤などによって接着されている。この立上げミラー保持台８は、たとえば、樹脂、セラミックス、金属などの材料、好ましくは板金を成形して得られる成形品を使用する。
【００３２】
立上げミラー保持台８の幅寸法は、前述の案内部材１２ａと案内部材１２ｃおよび案内部材１２ｂと案内部材１２ｄとの間隔Ｌ１と等しく形成される。したがって、立上げミラー保持台８の基底部８ａを、案内部材１２ａと案内部材１２ｃおよび案内部材１２ｂと案内部材１２ｄとの間に挿入して係合させることによって、立上げミラー保持台８は、案内部１２に案内されて、光２ａの光軸とほぼ平行方向にスライド移動することが可能になる。
【００３３】
また、ハウジング６の他端部６ｂ側には、端面のほぼ中央に、立上げミラー保持台８によって保持されている立上げミラー７と対向するように、半導体レーザ２が設けられる。半導体レーザ２から出射された光２ａは、立上げミラー７の反射面における反射点７ａで、情報記録媒体１０の方向へ反射される。また、ハウジング６の一側面６ｃの外側に接し、前記一側面６ｃから半導体レーザ２に連なるように、給電用フレキシブルプリント基板１１が設けられる。
【００３４】
図１（ｂ）および図１（ｃ）は、光ピックアップ装置１において、立上げミラー保持台８がハウジング６に対してスライド移動して位置調整が行われるのを具体的に示す側面配置図である。図１（ｂ）では、立上げミラー保持台８が、ハウジング６に対して、出射光２ａの光軸にほぼ平行な方向にかつ矢符１３が示す方向にスライド移動している。このスライド移動によって、立上げミラー７の反射面における光２ａの反射点は、スライド移動前の反射点７ａよりも、光２ａの進行方向に移動し（半導体レーザ２と立上げミラー７の反射面における光２ａの反射点との距離がスライド移動前よりも長くなり）、かつ下方にずれている。図１（ｃ）では、立上げミラー保持台８が、ハウジング６に対して、半導体レーザ２から出射光２ａの光軸にほぼ平行な方向にかつ矢符１４が示す方向に、スライド移動している。このスライド移動によって、立上げミラー７の反射面における光２ａの反射点が、スライド移動前の反射点７ａよりも、光２ａの進行方向とは逆方向に移動し（半導体レーザ２と立上げミラー７の反射面における光２ａの反射点との距離がスライド移動前よりも短くなり）、かつ上方にずれている。このように、立上げミラー保持台８を出射光２ａの光軸に対してほぼ平行にスライド移動させると、立上げミラー７の反射面における光２ａの反射点を、光２ａの光軸とほぼ平行方向（主軸に対する従軸方向、以後「Ｙ方向」と呼ぶ）に位置調整することができる。これによって、光２ａが情報記録媒体１０の最良点に到達するように調整することができる。
【００３５】
図１（ｄ）の光ピックアップ装置１では、立上げミラー保持台８のスライド移動による位置調整が終了した後、立上げミラー保持台８の案内部材１２ａ，１２ｃに接する部分の一部および案内部材１２ｂ，１２ｄに接する部分の一部または全部を覆うように接着剤を塗布して硬化させ、立上げミラー保持台８をハウジング６の底面６ａに固定している。
【００３６】
図２は、本発明の実施の第２形態である光ピックアップ装置１６の構成を示す配置図である。本実施の形態の光ピックアップ装置１６は、実施の第１形態の光ピックアップ装置１に類似し、対応する部分については、同一の参照符号を付して説明を省略する。
【００３７】
図２（ａ）は、光ピックアップ装置１６の構成を示す側面配置図である。光ピックアップ装置１６は、ハウジング６の底面６ａに、外方に臨んで、半導体レーザ２から出射される光２ａの光軸１７とほぼ垂直方向に延びる第１嵌合突起１８が形成され、立上げミラー保持台８の基底部８ａのハウジング６を臨む面に、第１嵌合突起１８と嵌合することができるように第１嵌合凹部１９が形成され、第１嵌合突起１８と第１嵌合凹部１９とが嵌合されていることを特徴とする。
【００３８】
図２（ｂ）は、光ピックアップ装置１６の一部分であるハウジング６の構成を示す側面図および底面図である。ハウジング６は、その底面６ａから外方に突出し、半導体レーザ２から出射される光２ａの光軸１７とほぼ垂直方向に軸線１８ａを有するように延び、その突出方向の先端部が曲率を有する面で構成される第１嵌合突起１８を有している。図２（ｃ）は、光ピックアップ装置１６の一部分である立上げミラー保持台８の構成を示す平面図および側面図である。立上げミラー保持台８は、基底部８ａのハウジング６を臨む面に、半導体レーザ２から出射される光２ａの光軸１７とほぼ垂直方向に延び、その奥部が曲率を有する面で構成され、第１嵌合突起１８と嵌合することができる第１嵌合凹部１９が形成されている。第１嵌合突起１８および第１嵌合凹部１９は、光軸１７に対して垂直方向の寸法を合わせ込み、その方向へのズレが起こらないように形成されている。また、第１嵌合突起１８の高さ寸法は、第１嵌合凹部１９の深さ寸法よりも若干大きくなるように形成されている。そして、第１嵌合突起１８に第１嵌合凹部１９を嵌合させ、その嵌合部を支点にすることによって、立上げミラー保持台８は、第１嵌合突起１８の軸線１８ａまわりに角変位できるように設けられる。
【００３９】
図２（ｄ）は、立上げミラー保持台８が、第１嵌合突起１８の軸線１８ａまわりに角変位調整されるのを具体的に示す側面配置図である。立上げミラー保持台８の、基底部８ａの第１嵌合凹部１９より半導体レーザ２側を矢符２０の方向に押し上げると、実線で示すように、立上げミラー保持台８は、前記軸線１８ａのまわりに、立上げミラー保持台８に保持される立上げミラー７がハウジング６から離反する方向に角変位する。この時、光の反射点は、立上げミラー保持台８を矢符２０の方向に押す前の反射点７ａに比べて光２ａの進路方向に移動し（半導体レーザ２と立上げミラー７の反射面における光２ａの反射点との距離が長くなり）、かつ上方に移動している。一方、立上げミラー保持台８の、基底部８ａの第１嵌合凹部１９より傾斜部８ｂ側を矢符２１の方向に押し上げると、破線で示すように、立上げミラー保持台８は、前記軸線１８ａまわりに、立上げミラー保持台８に保持される立上げミラー７がハウジング６へ近接する方向に角変位する。この時、光の反射点は、立上げミラー保持台８を矢符２１の方向に押す前の反射点７ａに比べて光２ａの進路方向とは逆方向に移動し（半導体レーザ２と立上げミラー７の反射面における光２ａとの距離が短くなり）、かつ下方にずれている。すなわち、立上げミラー保持台８を、第１嵌合突起の軸線１８ａまわりに角変位調整することによって、立上げミラー７の反射面における光２ａの反射点をＹ方向に位置調整することができる。これによって、光２ａが情報記録媒体１０の最良点に到達するように調整することができる。
【００４０】
図２（ｅ）は、光ピックアップ装置１６の底面の構成を示す底面図である。立上げミラー保持台８の角変位調整である位置調整が終了した後、立上げミラー保持台８の基底部８ａのハウジング６を臨む面とハウジング６の底面６ａとが接する部分の一部または全部を覆うように接着剤を塗布して硬化させ、立上げミラー保持台８をハウジング６の底面６ａに固定している。
【００４１】
図３は、本発明の実施の第３形態である光ピックアップ装置２２の構成を示す配置図である。本実施の形態の光ピックアップ装置２２は、実施の第１形態の光ピックアップ装置１に類似し、対応する部分については、同一の参照符号を付して説明を省略する。
【００４２】
図３（ａ）は、光ピックアップ装置２２の構成を示す側面配置図である。光ピックアップ装置２２は、ハウジング６の底面６ａに、外方に臨んで、半導体レーザ２から出射される光２ａの光軸１７とほぼ平行方向に延びる第２嵌合突起２３が形成され、立上げミラー保持台８の基底部８ａのハウジング６を臨む面に、第２嵌合突起２３と嵌合することができるように第２嵌合凹部２４が形成され、第２嵌合突起２３と第２嵌合凹部２４とが嵌合されていることを特徴とする。
【００４３】
図３（ｂ）は、光ピックアップ装置２２の一部分であるハウジング６の構成を示す側面図および底面図である。ハウジング６は、その底面６ａから外方へ突出し、半導体レーザ２から出射される光２ａの光軸１７とほぼ平行方向に軸線２３ａを有するように延び、その突出方向の先端部が曲率を有する面で構成される第２嵌合突起２３を有している。図３（ｃ）は、光ピックアップ装置２２の一部分である立上げミラー保持台８の構成を示す平面図および側面図である。立上げミラー保持台８は、基底部８ａのハウジング６を臨む面に、半導体レーザ２から出射される光２ａの光軸１７とほぼ平行方向に延び、その奥部が曲率を有する面で構成され、第２嵌合突起２３と嵌合することができる第２嵌合凹部２４が形成されている。第２嵌合突起２３および第２嵌合凹部２４は、光軸１７に対して平行方向の寸法を合わせ込み、その方向へのズレが起こらないように形成されている。また、第２嵌合突起２３の高さ寸法は、第２嵌合凹部２４の深さ寸法よりも若干大きくなるように形成されている。そして、第２嵌合突起２３に第２嵌合凹部２４を嵌合させることによって、立上げミラー保持台８は、第２嵌合突起２３の軸線２３ａまわりに角変位可能に設けられる。
【００４４】
図３（ｄ）は、光ピックアップ装置２２をその一端部６ｄ側から見た背面配置図である。立上げミラー保持台８は、角変位を調整する前の状態である。
【００４５】
図３（ｅ）は、立上げミラー保持台８が第２嵌合突起２３の軸線２３ａまわりに角変位調整されるのを具体的に示す側面配置図である。立上げミラー保持台８の基底部８ａ底面の一側面８ｘ側を矢符２５の方向に押し上げると、実線で示すように、立上げミラー保持台８は、前記軸線２３ａまわりに、立上げミラー保持台８に保持される立上げミラー７が図３（ｅ）の紙面で時計回りに移動する方向に角変位する。この時、光の反射点は、角変位調整を行う前に比べて、矢符２７の方向に移動し、光は角変位調整前の光軸１７に対して角度のある矢符２６の方向に反射される。一方、立上げミラー保持台８の基底部８ａ底面の他側面８ｙ側を矢符２８の方向に押し上げると、破線で示すように、立上げミラー保持台８は、前記軸線２３ａまわりに、立上げミラー保持台８に保持された立上げミラー７が図３（ｅ）の紙面で反時計回りに移動する方向に角変位する。この時、光の反射点は、角変位調整を行う前に比べて、矢符３０の方向に移動し、光は角変位調整前の光軸１７に対して角度のある矢符２９の方向に反射される。すなわち、立上げミラー保持台８を、第２嵌合突起２３の軸線２３ａまわりに角変位調整することによって、立上げミラー７の反射面における光２ａの反射点を、矢符２７または矢符３０の方向すなわち光軸１７に対する垂直方向（以後「Ｘ方向」と呼ぶ）に位置調整することができる。これによって、光２ａが情報記録媒体１０の最良点に到達するように調整することができる。
【００４６】
図３（ｆ）は、光ピックアップ装置２２の底面の構成を示す底面図である。立上げミラー保持台８の角変位調整である位置調整が終了した後、立上げミラー保持台８の基底部８ａとハウジング６を臨む面とハウジング６の底面６ａとが接する部分の一部または全部を覆うように接着剤を塗布して硬化させ、立上げミラー保持台８をハウジング６の底面６ａに固定している。
【００４７】
図４は、本発明の実施の第４形態である光ピックアップ装置３１の構成を示す配置図である。本実施の形態の光ピックアップ装置３１は、実施の第１形態の光ピックアップ装置１に類似し、対応する部分については、同一の参照符号を付して説明を省略する。
【００４８】
図４（ａ）は、光ピックアップ装置３１の構成を示す側面配置図である。光ピックアップ装置３１は、ハウジング６の底面６ａに、外方に臨んで突出し、突出する先端部が半球状である第３嵌合突起３２が形成され、立上げミラー保持台８の基底部８ａのハウジング６を臨む面に、その奥部が半球状であり、第３嵌合突起３２と嵌合することができる第３嵌合凹部３３が形成され、第３嵌合突起３２と第３嵌合凹部３３とが嵌合されていることを特徴とする。
【００４９】
図４（ｂ）は、光ピックアップ装置３１の一部分であるハウジング６の構成を示す側面図および底面図である。ハウジング６は、その底面６ａから外方に突出し、先端部が球心３２ａを有する半球状である第３嵌合突起３２を有している。図４（ｃ）は、光ピックアップ装置３１の一部分である立上げミラー保持台８の構成を示す平面図および側面図である。立上げミラー保持台８は、基底部８ａのハウジング６を臨む面に、半球状の凹部であり、第３嵌合突起３２と嵌合することができる第３嵌合凹部３３が形成されている。第３嵌合突起３２および第３嵌合凹部３３は寸法を合わせ込み、光軸１７に対して平行方向および垂直方向へのズレが起こらないように形成されている。また、第３嵌合突起３２の高さ寸法は、第３嵌合凹部３３の深さ寸法よりも若干大きくなるように形成されている。そして、第３嵌合突起３２に第３嵌合凹部３３を嵌合させることによって、立上げミラー保持台８は、第３嵌合突起３２の球心３２ａまわりに角変位できるように設けられる。
【００５０】
図４（ｄ）は、立上げミラー保持台８が、第３嵌合突起３２の球心３２ａまわりで角変位調整されるのを具体的に示す側面配置図である。立上げミラー保持台８は、前記の球心３２ａまわりに、立上げミラー保持台８に保持される立上げミラー７が、本発明の第２実施形態と同様に角変位し、立上げミラー７の反射面における光２ａの反射点を、Ｙ方向に位置調整することができる。これによって、光２ａが情報記録媒体１０の最良点に到達するように調整することができる。
【００５１】
図４（ｅ）は、光ピックアップ装置３１をその一側面６ｄ側から見た背面配置図である。立上げミラー保持台８は、角変位を調整する前の状態である。
【００５２】
図４（ｆ）は、立上げミラー保持台８が第３嵌合突起３２の球心３２ａまわりに角変位調整されるのを具体的に示す側面配置図である。立上げミラー保持台８は、前記の球心３２ａまわりに、立上げミラー保持台８に保持される立上げミラー７が、本発明の第３実施形態と同様に角変位し、立上げミラー７の反射面における光２ａの反射点を、Ｘ方向に位置調整することができる。これによって、光２ａが情報記録媒体１０の最良点に到達するように調整することができる。
【００５３】
図４（ｆ）は、光ピックアップ装置３１の底面の構成を示す底面図である。立上げミラー保持台８の角変位調整である位置調整が終了した後、立上げミラー保持台８の基底部８ａのハウジング６を臨む面とハウジング６の底面６ａとが接する部分の一部または全部を覆うように接着剤を塗布して硬化させ、立上げミラー保持台８をハウジング６の底面６ａに固定している。
【００５４】
【発明の効果】
本発明によれば、光ピックアップ装置において、光源を収納するハウジングに、反射手段を保持する保持部材を移動可能に設けることによって、光源から出射される光の、反射手段における反射点の位置、ひいては情報記録媒体への到達点を容易に調整することができる。すなわち、本発明の光ピックアップ装置は、光源の位置調整を行うことなく、光源から出射される光が情報記録媒体の最良点に到達するように、その光路を容易に調整できるものであり、調整の自由度が大きく、調整後も、フレキシブルプリント基板などに余分な応力が加わっていないので、光路のずれが起こらず、高い信頼性を有している。さらに前述のように光源の位置調整が不要になるので、光源を板バネなどで固定化する設計を行うことができ、一層信頼性の高い光ピックアップ装置が得られる。
【００５５】
本発明によれば、ハウジングの外方に臨んで、光源からの出射光の光軸と略平行方向に延びる案内部を形成し、保持部材を案内部と係合し、案内部に対して摺動するように設けることによって、保持部材および保持部材に保持される反射手段をハウジングの外方に移動可能に設けた光ピックアップ装置を得ることができる。
【００５６】
この光ピックアップ装置においては、保持部材は光源からの出射光の光軸と略平行方向に移動可能に設けられ、反射手段は保持部材に保持され、保持部材とともに移動するので、光源からの出射光の反射手段における反射点を光軸と略平行方向に変更し、ひいては出射光が情報記録媒体に到達する光路を変更することができる。
【００５７】
本発明によれば、ハウジングの外方に臨んで、光源からの出射光の光軸と略垂直方向に延びる突起を形成し、保持部材に前記突起と嵌合することができる凹部を形成し、この突起と凹部とを嵌合することによって、保持部材および保持部材に保持される反射手段が、光軸と略垂直方向に延びる、第１嵌合突起の軸線まわりに角変位できるように設けられる光ピックアップ装置を得ることができる。
【００５８】
本発明によれば、ハウジングの外方に臨んで、光源からの出射光の光軸と略平行方向に延びる突起を形成し、保持部材に前記突起と嵌合することができる凹部を形成し、この突起と凹部とを嵌合することによって、保持部材および保持部材に保持される反射手段が、光軸に略平行方向に延びる、第２嵌合突起の軸線まわりに角変位できるように設けられる光ピックアップ装置を得ることができる。
【００５９】
本発明によれば、ハウジングの外方に臨んで、突出する先端部が半球状である突起を形成し、保持部材に前記突起と嵌合することができる凹部を形成し、この突起と凹部とを嵌合することによって、保持部材および保持部材に保持される反射手段が、第３嵌合突起の半球状に形成される先端部の球心まわりに角変位できるように設けられる光ピックアップ装置を得ることができる。
【図面の簡単な説明】
【図１】本発明の実施の第１形態である光ピックアップ装置の構成を示す配置図である。
【図２】本発明の実施の第２形態である光ピックアップ装置の構成を示す配置図である。
【図３】本発明の実施の第３形態である光ピックアップ装置の構成を示す配置図である。
【図４】本発明の実施の第４形態である光ピックアップ装置の構成を示す配置図である。
【図５】従来の光ピックアップ装置の構成を示す側面配置図である。
【図６】特許文献１に記載される従来の光ピックアップ装置の一部分の構成を示す断面図である。
【符号の説明】
１，１６，２２，３１  光ピックアップ装置
２  光源
２ａ  光
２ｂ  ピン
３  光検出器
４  回折素子
５  コリメータレンズ
６  ハウジング
６ａ  ハウジングの底面
６ｂ  ハウジングの他端部
６ｃ  ハウジングの一側面
６ｄ  ハウジングの一端部
７  立上げミラー
７ａ  反射点
８  立上げミラー保持台
８ａ  立上げミラー保持台の基底部
８ｂ  立上げミラー保持台の傾斜部
８ｘ  立上げミラー保持台の一側面
８ｙ  立上げミラー保持台の他側面
９  対物レンズ
１０  情報記録媒体
１１  フレキシブルプリント基板
１２  案内部
１２ａ，１２ｂ，１２ｃ，１２ｄ  案内部材
１３，１４，２０，２１，２５，２６，２７，２８，２９，３０  矢符
１５，１１２  接着剤
１７  光軸
１８  第１嵌合突起
１８ａ  第１嵌合突起の軸線
１９  第１嵌合凹部
２３  第２嵌合突起
２３ａ  第２嵌合突起の軸線
２４  第２嵌合凹部
３２  第３嵌合突起
３２ａ  第３嵌合突起の球心
３３  第３嵌合凹部
【図１】
2004199781.tif 000003
【図２】
2004199781.tif 000004
【図３】
2004199781.tif 000005
【図４】
2004199781.tif 000006
【図５】
2004199781.tif 000007
【図６】
2004199781.tif 000008